(57)【要約】【課題】施錠状態で中枠施錠杆とガラス枠施錠杆の両方をロックして、針金などの不正器具による不正解錠を防止することができるパチンコ機の施錠装置を提供する。【解決手段】  基枠体１に、中枠施錠杆２を施錠状態でロックする中枠ロック部材５が揺動可能に枢支され、中枠施錠杆２には、中枠ロック部材５に係合して中枠施錠杆２を施錠状態でロックする中枠ロック受け部材６が揺動可能に枢支される。基枠体１に、ガラス枠施錠杆３を施錠状態でロックするガラス枠ロック部材７が揺動可能に枢支され、ガラス枠施錠杆３には、ガラス枠ロック部材７に係合してガラス枠施錠杆３を施錠状態でロックするガラス枠ロック受け部材８が揺動可能に枢支される。中枠施錠杆２とガラス枠施錠杆３に沿ってロック解除部材４が摺動可能に配設される。【選択図】図７
2010131266.tif 000002
【特許請求の範囲】
【請求項１】
縦長の基枠体の支持板に沿って中枠施錠杆とガラス枠施錠杆が上下に摺動可能に配設され、該基枠体の正面に該支持板に対し略直角に設けた取付板に、シリンダ錠が取り付けられ、該シリンダ錠の錠軸にカム部材が固定され、該中枠施錠杆及びガラス枠施錠杆が該カム部材に係合可能とされ、該中枠施錠杆の鉤部が本体枠側の受け部に係止され、該ガラス枠施錠杆の鉤部がガラス枠側の係止部に係止されて施錠するパチンコ機の施錠装置において、
該基枠体には、該中枠施錠杆を施錠状態でロックする中枠ロック部材が揺動可能に枢支され、該中枠施錠杆には、該中枠ロック部材に係合して該中枠施錠杆を施錠状態でロックする中枠ロック受け部材が揺動可能に枢支され、
該基枠体には、該ガラス枠施錠杆を施錠状態でロックするガラス枠ロック部材が揺動可能に枢支され、該ガラス枠施錠杆には、該ガラス枠ロック部材に係合して該ガラス枠施錠杆を施錠状態でロックするガラス枠ロック受け部材が揺動可能に枢支され、
該中枠施錠杆とガラス枠施錠杆に沿ってロック解除部材が摺動可能に配設され、該ロック解除部材には、該中枠ロック受け部材に係合して該中枠ロック受け部材と該中枠ロック部材との係合を解除させるための係合部が設けられると共に、該ガラス枠ロック受け部材に係合して該ガラス枠ロック受け部材と該ガラス枠ロック部材との係合を解除させるための係合部が設けられ、
該中枠を閉じたとき、該中枠ロック部材の突出部が該中枠側の当接部に当接して該中枠ロック部材が揺動し、該中枠ロック部材と該中枠ロック受け部材が係合して、該中枠施錠杆の移動がロックされ、該ガラス枠を閉じたとき、該ガラス枠ロック部材の突出部が該ガラス枠側の当接部に当接して該ガラス枠ロック部材が揺動し、該ガラス枠ロック部材と該ガラス枠ロック受け部材が係合して、該ガラス枠施錠杆の移動がロックされることを特徴とするパチンコ機の施錠装置。
【請求項２】
前記基枠体は、正面側の断面コ字状部と背面側の断面Ｌ字状部を一体に形成され、該断面コ字状部の正面板が取付板として形成され、該取付板に対し支持板が取付板の左端から直角に背面側に向けて配設され、該取付板の幅広部にシリンダ錠がその錠軸を支持板側に挿入するように取り付けられ、該支持板の左側に、上記中枠施錠杆、ガラス枠施錠杆、中枠ロック部材、中枠ロック受け部材、ガラス枠ロック部材、ガラス枠ロック受け部材、及びロック解除部材が配置され、該中枠施錠杆の鉤部は、該断面Ｌ字状部の背面側の背面板に設けた開口部から背面側に突出することを特徴とする請求項１記載のパチンコ機の施錠装置。
【請求項３】
前記シリンダ錠を取り付けた取付板の幅広部近傍の前記支持板と背面板に開口部が形成され、該開口部の周辺にカム室が形成され、該シリンダ錠の錠軸のカム部材が該カム室内で、前記中枠施錠杆、ガラス枠施錠杆及びロック解除部材に係合可能とされ、該カム室の側面から背面を覆うようにカバーが取り付けられたことを特徴とする請求項２記載のパチンコ機の施錠装置。
【請求項４】
前記ロック解除部材には、前記カム部材に突設された第１係合凸部が係合可能な第１係合部と前記カム部材に突設された第２係合凸部が係合可能な第２係合部が設けられ、前記シリンダ錠の操作により該カム部材が一方向に回動したとき、該第１係合凸部が先ず第１係合部に係合して該ロック解除部材を摺動させた後、次に前記中枠施錠杆の係合部に係合して該中枠施錠杆を摺動させて中枠を解錠し、該カム部材が他方向に回動したとき、該第２係合凸部が先ず第２係合部に係合して該ロック解除部材を摺動させた後、次に前記ガラス枠施錠杆の係合部に係合して該ガラス枠施錠杆を摺動させてガラス枠を解錠することを特徴とする請求項１記載のパチンコ機の施錠装置。
【発明の詳細な説明】
【技術分野】
【０００１】
本発明は、パチンコ機の中枠（前面枠）に取り付けられ、中枠を本体枠に対し施錠し、且つ中枠に対し開閉可能に取り付けられたガラス枠を施錠するパチンコ機の施錠装置に関する。
【背景技術】
【０００２】
パチンコ機の中枠（前面枠）は、本体枠の前面に、ヒンジを介して開閉可能に装着され、さらに中枠の前面にガラス枠が開閉可能に装着される。このような中枠（前面枠）に取り付けられ、中枠を本体枠に対し施錠し、且つ中枠に対し開閉可能に取り付けられたガラス枠を施錠するパチンコ機の施錠装置として、上部と下部にフック状の係止爪を背面側に突設してなる中枠用施錠杆と、上部と下部にフック状の係止爪を正面側（シリンダ錠側）に突設してなるガラス枠用施錠杆とを、縦長の基枠体内に上下の摺動可能に配設した施錠装置が、下記特許文献１などにより知られている。
【０００３】
この施錠装置は、パチンコ機の本体枠に対し中枠を閉じると、中枠用施錠杆の係止爪が本体枠側に設けた受け金具に摺動しながら係止され、解錠する際は、基枠体の正面側に取り付けたシリンダ錠の錠軸のカム部材により、中枠用施錠杆を摺動させて係止爪と受け金具との係合を外して解錠する。一方、パチンコ機の中枠に対しガラス枠を閉じると、ガラス枠用施錠杆の係止爪がガラス枠側に設けた受け金具に摺動しながら係止され、それを解錠する場合は、シリンダ錠の錠軸のカム部材により、ガラス枠用施錠杆を摺動させて係止爪と受け金具との係合を外して解錠する。
【０００４】
このような構造の施錠装置では、ガラス枠または中枠を閉じたとき、ガラス枠用施錠杆または中枠用施錠杆が自動的に（係止爪が受け金具に接触して受ける反力により）摺動して施錠される構造のため、施錠が完了状態においても、ガラス枠用施錠杆または中枠用施錠杆が摺動可能な状態となる。このため、施錠状態において、パチンコ機の中枠の隙間から針金等の不正器具を挿入して、その先端を係止爪に引っ掛けてガラス枠用施錠杆または中枠用施錠杆を解錠方向に摺動させた場合、不正解錠が可能となる虞があった。
【特許文献１】特開２００５−２９６４０３号公報
【特許文献２】特開２００７−３１３０４９号公報
【発明の開示】
【発明が解決しようとする課題】
【０００５】
このために、従来、施錠状態で、中枠用施錠杆またはガラス枠施錠杆が不正に解錠方向に移動力を受けたとき、カム部材用の係合部をカム部材の係合凸部に当接させて、中枠用施錠杆またはガラス枠施錠杆の移動を阻止するようにロックして不正解錠を防止する施錠装置が、上記特許文献２などで提案されている。この施錠装置のカムロック機構は、シリンダ錠の錠軸に固定されるカム部材の係合凸部を長めに形成し、中枠用施錠杆及びガラス枠施錠杆に設けられたカム部材用の係合孔にその係合凸部を、施錠時には嵌入した状態とし、カム部材により中枠用施錠杆及びガラス枠施錠杆の移動をロックするように構成される。
【０００６】
しかし、この種のカムロック方式の施錠装置は、中枠またはガラス枠が開放された状態においても、常時、カム部材の係合凸部が中枠用施錠杆及びガラス枠施錠杆の係合孔に嵌合しているため、中枠またはガラス枠を閉じることにより、自動的に中枠用施錠杆またはガラス枠施錠杆を摺動させて施錠しようとしても、キーをシリンダ錠から抜いた状態では、カム部材の回動がロックされた状態にあるため、中枠またはガラス枠を閉じて施錠することができず、使用状況によっては使用しにくいという問題があった。つまり、開放された状態の中枠またはガラス枠を閉じて自動的に施錠する際には必ずキーをシリンダ錠に差し込んだ状態とする必要があり、キーを抜いた状態で中枠またはガラス枠を閉じると、施錠装置の施錠動作が不完全となり、故障の原因となるなどの問題があった。
【０００７】
さらに、従来、施錠状態の中枠用施錠杆の移動をロックするパチンコ機の施錠装置として、基枠体にロック部材を揺動可能に枢支し、このロック部材により、施錠状態における中枠用施錠杆をロックして不正解錠を防止する施錠装置が知られている。この施錠装置は、施錠状態における中枠用施錠杆にロック部材を係止させてそれをロックし、シリンダ錠による解錠の際には、カム部材の回動によりロック部材のロックを解除すると共に、中枠用施錠杆を摺動させて解錠する。
【０００８】
しかし、このパチンコ機の施錠装置は、施錠状態における中枠用施錠杆をロックすることはできるものの、ガラス枠用施錠杆についてはロックすることができず、施錠状態における中枠用施錠杆とガラス枠用施錠杆の両方をロックする機構を備えたパチンコ機の施錠装置の開発が望まれていた。
【０００９】
本発明は、上記の課題を解決するために、施錠状態で中枠施錠杆とガラス枠施錠杆の両方をロックして、針金などの不正器具による不正解錠を防止することができるパチンコ機の施錠装置を提供することを目的とする。
【課題を解決するための手段】
【００１０】
上記の目的を達成するために、本発明の請求項１のパチンコ機の施錠装置は、縦長の基枠体の支持板に沿って中枠施錠杆とガラス枠施錠杆が上下に摺動可能に配設され、該基枠体の正面に該支持板に対し略直角に設けた取付板に、シリンダ錠が取り付けられ、該シリンダ錠の錠軸にカム部材が固定され、該中枠施錠杆及びガラス枠施錠杆が該カム部材に係合可能とされ、該中枠施錠杆の鉤部が本体枠側の受け部に係止され、該ガラス枠施錠杆の鉤部がガラス枠側の係止部に係止されて施錠するパチンコ機の施錠装置において、
該基枠体には、該中枠施錠杆を施錠状態でロックする中枠ロック部材が揺動可能に枢支され、該中枠施錠杆には、該中枠ロック部材に係合して該中枠施錠杆を施錠状態でロックする中枠ロック受け部材が揺動可能に枢支され、
該基枠体には、該ガラス枠施錠杆を施錠状態でロックするガラス枠ロック部材が揺動可能に枢支され、該ガラス枠施錠杆には、該ガラス枠ロック部材に係合して該ガラス枠施錠杆を施錠状態でロックするガラス枠ロック受け部材が揺動可能に枢支され、
該中枠施錠杆とガラス枠施錠杆に沿ってロック解除部材が摺動可能に配設され、該ロック解除部材には、該中枠ロック受け部材に係合して該中枠ロック受け部材と該中枠ロック部材との係合を解除させるための係合部が設けられると共に、該ガラス枠ロック受け部材に係合して該ガラス枠ロック受け部材と該ガラス枠ロック部材との係合を解除させるための係合部が設けられ、
該中枠を閉じたとき、該中枠ロック部材の突出部が該中枠側の当接部に当接して該中枠ロック部材が揺動し、該中枠ロック部材と該中枠ロック受け部材が係合して、該中枠施錠杆の移動がロックされ、該ガラス枠を閉じたとき、該ガラス枠ロック部材の突出部が該ガラス枠側の当接部に当接して該ガラス枠ロック部材が揺動し、該ガラス枠ロック部材と該ガラス枠ロック受け部材が係合して、該ガラス枠施錠杆の移動がロックされることを特徴とする。
【００１１】
この発明の施錠装置によれば、中枠を閉じた状態で、中枠ロック部材が中枠ロック受け部材に係止されて、中枠の移動がロックされ、一方、ガラス枠を閉じた状態で、ガラス枠ロック部材がガラス枠ロック受け部材に係止されて、ガラス枠の移動がロックされため、中枠とガラス枠の両方の不正器具による不正解錠を防止することができる。
【００１２】
また、キーによるシリンダ錠とカム部材の回動時には、ロック解除部材の摺動により、中枠ロック部材と中枠ロック受け部材の係合が解除されて中枠施錠杆が移動可能となり、ガラス枠ロック部材とガラス枠ロック受け部材の係合が解除されてガラス枠施錠杆が移動可能となるので、キー操作により中枠とガラス枠の解錠が行えると共に、ロックの解除は、１本のロック解除部材により行うことができるため、部材の数を最小限に抑え、装置の小型化及び構造の簡単化を図ることができる。
【００１３】
本発明の請求項２の施錠装置は、上記請求項１のパチンコ機の施錠装置において、上記基枠体は、正面側の断面コ字状部と背面側の断面Ｌ字状部を一体に形成され、該断面コ字状部の正面板が取付板として形成され、該取付板に対し支持板が取付板の左端から直角に背面側に向けて配設され、該取付板の幅広部にシリンダ錠がその錠軸を支持板側に挿入するように取り付けられ、該支持板の左側に、上記中枠施錠杆、ガラス枠施錠杆、中枠ロック部材、中枠ロック受け部材、ガラス枠ロック部材、ガラス枠ロック受け部材、及びロック解除部材が配置され、該中枠施錠杆の鉤部は、該断面Ｌ字状部の背面側の背面板に設けた開口部から背面側に突出することを特徴とする。
【００１４】
この発明によれば、基枠体の強度を増大させ、中枠施錠杆の取付強度も増大させることができる。さらに、施錠装置がパチンコ機中枠の左端自由端側に縦に取り付けられた場合、中枠の自由端側に隙間が生じたとしても、施錠装置の基枠体の支持板の左側に中枠施錠杆、ガラス枠施錠杆、中枠ロック部材、中枠ロック受け部材、ガラス枠ロック部材、ガラス枠ロック受け部材、及びロック解除部材を含む施錠機構が配置されるため、自由端側の隙間から針金などの不正器具が挿入された場合でも、支持板が壁となって施錠機構に到達せず、不正解錠をさらに効果的に防止することができる。
【００１５】
本発明の請求項３の施錠装置は、上記請求項２のパチンコ機の施錠装置において、上記シリンダ錠を取り付けた取付板の幅広部近傍の前記支持板と背面板に開口部が形成され、該開口部の周辺にカム室が形成され、該シリンダ錠の錠軸のカム部材が該カム室内で、前記中枠施錠杆、ガラス枠施錠杆及びロック解除部材に係合可能とされ、該カム室の側面から背面を覆うようにカバーが取り付けられたことを特徴とする。
【００１６】
この発明によれば、シリンダ錠の操作による解錠時、円滑に中枠施錠杆、ガラス枠施錠杆及びロック解除部材を摺動させて解錠操作が可能となると共に、カム室の側面から背面をカバーにより覆って、不正器具による不正解錠をさらに効果的に防止することができる。
【００１７】
本発明の請求項４の施錠装置は、上記請求項１のパチンコ機の施錠装置において、上記ロック解除部材には、前記カム部材に突設された第１係合凸部が係合可能な第１係合部と前記カム部材に突設された第２係合凸部が係合可能な第２係合部が設けられ、前記シリンダ錠の操作により該カム部材が一方向に回動したとき、該第１係合凸部が先ず第１係合部に係合して該ロック解除部材を摺動させた後、次に前記中枠施錠杆の係合部に係合して該中枠施錠杆を摺動させて中枠を解錠し、該カム部材が他方向に回動したとき、該第２係合凸部が先ず第２係合部に係合して該ロック解除部材を摺動させた後、次に前記ガラス枠施錠杆の係合部に係合して該ガラス枠施錠杆を摺動させてガラス枠を解錠することを特徴とする。
【００１８】
この発明によれば、解錠操作時に、カム部材が回動したとき、先ずロック解除部材を摺動させてロックを解除した状態で、中枠施錠杆またはガラス枠施錠杆を摺動させるので、ロック部材とロック受け部材によりロックされた状態であっても、シリンダ錠による解錠操作時には、確実に且つ円滑に中枠またはガラス枠を解錠操作することができる。
【発明の効果】
【００１９】
本発明のパチンコ機の施錠装置によれば、施錠状態において中枠施錠杆とガラス枠施錠杆の両方が、中枠ロック部材、中枠ロック受け部材、ガラス枠ロック部材、及びガラス枠ロック受け部材によってロックされ、針金などの不正器具により中枠施錠杆またはガラス枠施錠杆を不正に移動させて行われる不正解錠を防止することができ、キーによる解錠操作時には、１本のロック解除部材を摺動させて、少ない部材により中枠施錠杆またはガラス枠施錠杆を解錠方向に動かして、円滑に解錠することができる。
【発明を実施するための最良の形態】
【００２０】
以下、本発明の実施例を図面に基づいて説明する。図１はパチンコ機用の施錠装置の正面図を、図２はその左側面図を、図３はその右側面図を、図４はその背面図を各々示している。また、図５、図６はその平面図、底面図を示し、図７はその正面斜め右下方から見た斜視図を、図８はその背面斜め右下方から見た斜視図を示している。さらに、図９、図１０はその分解斜視図を示している。
【００２１】
図７，８などに示すように、施錠装置の本体フレームを構成する基枠体１は、正面側の断面コ字状部１ａと背面側の断面Ｌ字状部１ｂを一体にして縦長のチャンネル材状に形成されている。また、断面コ字状部１ａの正面側の板が取付板１１として形成され、取付板１１に対し支持板１２が取付板１１の左端から直角に背面側に向けて形成され、支持板１２は断面コ字状部１ａと背面側の断面Ｌ字状部１ｂとを繋ぐ部分に取付板１１と直角に形成されている。また、断面Ｌ字状部１ｂの背面側には背面板１３が、支持板１２と直角に、且つ取付板１１と平行で取付板１１とは反対側（支持板１２の左側）に設けられている。
【００２２】
図７，８などに示すように、取付板１１の下部寄りに設けた幅広部１１ａには、シリンダ錠９がその錠軸９ａを支持板１２側に挿入するように取り付けられ、支持板１２の左側（正面視左側）に、後述の中枠施錠杆２、ガラス枠施錠杆３、中枠ロック部材５、中枠ロック受け部材６、ガラス枠ロック部材７、ガラス枠ロック受け部材８、及びロック解除部材４が上下摺動可能または前後に揺動可能に配置されている。
【００２３】
基枠体１の断面Ｌ字状部１ｂの背面側に設けた背面板１３には、図８に示すように、その上部と下部に開口部１３ａ、１３ｂが設けられ、その開口部１３ａ，１３ｂから背面側に中枠施錠杆２の鉤部２１，２２が突出する。施錠装置をパチンコ機の中枠９１に取り付ける際、取付板１１と背面板１３が取付部となり、そこに穿設された取付孔とビスにより、施錠装置の基枠体１が中枠９１の右側自由端側の内側に縦に取り付けられる。
【００２４】
このように、基枠体１は、横断面をコ字状とした断面コ字状部１ａと横断面をＬ字状とした断面Ｌ字状部１ｂを一体に形成され、基枠体１の幅方向にそれら３個の角部が形成されるため、長手方向に対し充分な曲げ強度を持たせることができる。このような基枠体１は、金属板をプレス加工により折曲・裁断・打抜き加工するのみで製作することが可能である。
【００２５】
図７、８に示すように、基枠体１の下部には、合成樹脂製の滑動支持部材１９が背面側に突出するように固定されている。滑動支持部材１９はその突出部が先細り形状に形成され、且つ突出部下面を傾斜面として形成され、中枠９１を本体枠９０に対し閉じる際、本体枠９０内の下部に乗り上げるように作用して、中枠９１の重量による下方へのずれを修正するものである。また、この滑動支持部材１９は、基枠体１の断面Ｌ字状部１ｂつまり支持板１２と背面板１３の下部に嵌着され、支持板１２と背面板１３を直角状態に保持して、断面Ｌ字状部１ｂの断面形状の変形を防止し、堅固にその形状を保持するようにしている。
【００２６】
取付板１１の幅広部１１ａは、断面コ字状部１ａの正面左側つまり取付板１１の左側に膨出して形成され、そこには、シリンダ錠９を挿入するための開口孔が設けられる。図１１のように、シリンダ錠９は、幅広部１１ａの背面側からその外筒部を前方に突き出すように挿入され、そのフランジ９ｂを幅広部１１ａの背面側に当てて固定される。図９などの如く、取付板１１の幅広部１１ａ近傍における支持板１２と背面板１３の部位に、開口部１２ａが形成され、開口部１２ａの周辺空間にはカム室１４が形成されている。
【００２７】
図９、１０，１１に示すように、シリンダ錠９の錠軸９ａにカム部材１０が固定され、カム部材１０はカム室１４内で回動可能となっている。カム部材１０には第１係合凸部１０ａと第２係合凸部１０ｂが設けられ、カム部材１０の第１係合凸部１０ａ、第２係合凸部１０ｂは、後述のように、ロック解除部材４及び中枠施錠杆２またはガラス枠施錠杆３に対し係合可能となっている。また、カム室１４の側面から背面を覆うようにカバー１８が取り付けられ、カム室１４はカバー１８により覆われ、不正に挿入された不正器具がカム部材１０に到達しないようにしている。
【００２８】
シリンダ錠９とその錠軸９ａに固定されたカム部材１０は、キーをシリンダ錠９に差し込み、右に回したとき、図９，１１、１５に示すように、カム部材１０が同方向に回動し、その第１係合凸部１０ａがロック解除部材４と共に中枠施錠杆２の係合部２３に係合し、それを上方に摺動させるようになっている。一方、キーをシリンダ錠９に差し込み、左に回したときには、図９，１１，１６に示すように、カム部材１０が同方向に回動し、その第２係合部８ｂがロック解除部材４と共にガラス枠施錠杆３の係合部３５に係合し、それを下方に摺動させるようになっている。
【００２９】
図１，９，１０などに示すように、支持板１２の左側に、中枠施錠杆２、ガラス枠施錠杆３、中枠ロック部材５、中枠ロック受け部材６、ガラス枠ロック部材７、ガラス枠ロック受け部材８、及びロック解除部材４が配置される。中枠施錠杆２の鉤部２１，２２は、上記のように、断面Ｌ字状部１ｂの背面側の背面板１３に設けた開口部１３ａ，１３ｂから背面側に突出するように取り付けられる。
中枠施錠杆２、ガラス枠施錠杆３及びロック解除部材４は複数のガイドピンとガイド孔を介して上下摺動可能に支持板１２の左側に装着されている。
【００３０】
中枠施錠杆２は、図９、１０、１１に示すように、帯板の上部と下部にフック状の鉤部２１，２２を背面側に突出して形成される。中枠施錠杆２の下寄り（シリンダ錠９のカム部材１０に対向した位置）に、係合部２３が長孔の縁部として設けられ、上記のように、カム部材１０の第１係合凸部１０ａが係合可能である。また、中枠施錠杆２と支持板１２間にガラス枠施錠杆３が上下摺動可能に配設される。
【００３１】
ガラス枠施錠杆３には３本の鉤部３１，３２，３３が正面側に向けて突設される。ガラス枠施錠杆３の下寄り（シリンダ錠９のカム部材１０に対向した位置）に、係合部３５が長孔の縁部として設けられ、上記のように、カム部材１０の第２係合部１０ｂがその係合部３５に係合可能である。
【００３２】
さらに、中枠施錠杆２とガラス枠施錠杆３の間に、ロック解除部材４が中枠施錠杆２と共にまたはガラス枠施錠杆３と共に摺動可能に配設される。このロック解除部材４は、キーによるシリンダ錠９の解錠操作時に、カム部材１０の回動により、上または下に摺動して、中枠ロック受け部材６またはガラス枠ロック受け部材８を揺動させ、中枠ロック部材５と中枠ロック受け部材６の係合を外し、またはガラス枠ロック部材７とガラス枠ロック受け部材８との係合を外すように作用する。
【００３３】
そのために、ロック解除部材４には、カム部材１０の第１係合凸部１０ａがその右回動時に係合可能な第１係合部４１がロック解除部材４の下部に設けられ、さらに、カム部材１０の第２係合凸部１０ｂがその左回動時に係合可能な第２係合部４２が第１係合部４１の直ぐ上に設けられている。さらに、ロック解除部材４の上部には、上記中枠施錠杆２に対し軸支されて揺動し中枠９１のロック動作を行なう中枠ロック受け部材６用の中枠係合部４３が設けられ、上記ガラス枠施錠杆２に対し軸支されて揺動しガラス枠９２のロック動作を行なうガラス枠ロック受け部材８用のガラス枠係合部４４が設けられている。
【００３４】
このロック解除部材４は、シリンダ錠９が解錠操作させてカム部材１０が回動したとき、カム部材１０の第１係合凸部１０ａ及び第２係合凸部１０ｂが先ずそこに係合してロック解除部材４を上にまたは下に動かすように、その第１係合部４１と第２係合部４２を所定の位置に設けている。さらに、ロック解除部材４の上部に設けた中枠係合部４３は、カム部材１０の回動によりロック解除部材４が上に摺動したとき、中枠ロック受け部材６の係合凸部６２に係合して、中枠ロック受け部材６を揺動させ、その係合部６１と中枠ロック部材５の係合凸部５２との係合を外すように動作する。また、中枠係合部４３の上方に設けられたガラス枠係合部４４は、カム部材１０の回動によりロック解除部材４が下に摺動したとき、ガラス枠ロック受け部材８の係合凸部８２に係合して、ガラス枠ロック受け部材８を揺動させ、その係合部８１とガラス枠ロック部材７の係合凸部７２との係合を外すように動作する。
【００３５】
中枠ロック部材５は中枠施錠杆２を施錠状態でロックする部材であり、図１０などに示すように、基枠体１の支持板１２の左面に、枢軸５３を介して揺動（回動）可能に枢支される。この中枠ロック部材５には基枠体１から背面側に突出するように、突出部５１が設けられ、中枠９１を本体枠９０に対し閉じたとき、本体枠側の当接部にその突出部５１が当接し、これにより中枠ロック部材５が正面側に僅かに揺動し、その係合凸部５２を中枠施錠杆２の中枠ロック受け部材６の係合部６１に係合させて、中枠施錠杆２をロックするようになっている。中枠ロック受け部材６は、図９，１１に示すように、中枠施錠杆２の中間部の右側面に、枢軸６３により揺動（回動）可能に枢支され、中枠ロック受け部材６には上記のようにロック解除部材４の中枠係合部４３と係合可能な係合凸部６２が設けられている。
【００３６】
一方、ガラス枠ロック部材７はガラス枠施錠杆３を施錠状態でロックする部材であり、図１０などに示すように、基枠体１の支持板１２における中枠ロック部材５の上方に、枢軸７３を介して揺動（回動）可能に枢支される。このガラス枠ロック部材７には基枠体１から正面側に突出するように、突出部７１が設けられ、ガラス枠を中枠に対し閉じたとき、中枠側の当接部にその突出部７１が当接し、これによりガラス枠ロック部材７が背面側に僅かに揺動し、その係合凸部７２をガラス枠施錠杆３のガラス枠ロック受け部材８の係合部８１に係合させて、ガラス枠施錠杆３をロックするように構成される。ガラス枠ロック受け部材８は、図９，１１に示すように、ガラス枠施錠杆３の中間部の右側面に、枢軸８３により揺動（回動）可能に枢支され、ガラス枠ロック受け部材８には上記のようにロック解除部材４のガラス枠係合部４４と係合可能な係合凸部８２が設けられている。
【００３７】
上記中枠ロック部材５と中枠ロック受け部材６間には、コイルばね５４が掛け渡され、コイルばね５４のばね力により中枠ロック部材５はその突出部５１を背面側に突き出すように付勢され、中枠９１の開放時には、中枠ロック部材５がその突出部５１を背面側に突き出す状態となり、中枠ロック受け部材６の係合部６１と中枠ロック部材５の係合凸部５２との係合を外し、中枠施錠杆２が自在に上下動可能とする。
【００３８】
一方、中枠９１を閉じたときには、中枠ロック部材５の突出部５１が内側に押し込まれ、中枠ロック受け部材６の係合部６１と中枠ロック部材５の係合凸部５２とが係合し、中枠施錠杆２の上下動がロックされる。その状態で、キーによりシリンダ錠９が解錠操作されてカム部材１０が回動し、ロック解除部材４が上方に摺動したとき、ロック解除部材４の中枠係合部４３が中枠ロック受け部材６の係合凸部６２に係合して中枠ロック受け部材６を僅かに揺動させ、その係合部６１と中枠ロック部材５の係合凸部５２の係合を解除して中枠施錠杆２のロックを解除するようになっている。
【００３９】
また、ガラス枠ロック部材７とガラス枠ロック受け部材８間には、コイルばね７４が掛け渡され、コイルばね７４のばね力によりガラス枠ロック部材７はその突出部７１を正面側に突き出すように付勢され、ガラス枠の開放時には、ガラス枠ロック部材７がその突出部７１を正面側に突き出す状態となり、ガラス枠ロック受け部材８の係合部８１とガラス枠ロック部材７の係合凸部７２との係合を外し、ガラス枠施錠杆３が自在に上下動可能とされる。
【００４０】
一方、ガラス枠９２を閉じたときには、ガラス枠ロック部材７の突出部７１が内側に押し込まれ、ガラス枠ロック受け部材８の係合部８１とガラス枠ロック部材７の係合凸部７２とが係合し、ガラス枠施錠杆３の上下動がロックされる。その状態で、キーによりシリンダ錠９が解錠操作されてカム部材１０が回動し、ロック解除部材４が下方に摺動したとき、ロック解除部材４のガラス枠係合部４４がガラス枠ロック受け部材８の係合凸部８２に係合してガラス枠ロック受け部材８を僅かに揺動させ、その係合部８凸２とガラス枠ロック部材７の係合凸部７２の係合を解除してガラス枠施錠杆３のロックを解除するようになっている。
【００４１】
図９、１１に示すように、中枠施錠杆２には、その上部、中間部、下部にガイド孔２４、２５，２６が形成され、それらのガイド孔２４、２５，２６にはガイドピン２４ａ、２５ａ，２６ａが挿通され、中枠施錠杆２が上下に所定の範囲内で上下摺動するようにガイドされる。また、中枠施錠杆２の中間部には、上記のように、中枠ロック受け部材６が枢軸６３により揺動可能に軸支されている。一方、ガラス枠施錠杆３には、その上部、中間部、下部にガイド孔３６，３７，３８が形成され、それらのガイド孔３６，３７，３８にはガイドピン３６ａ、２５ａ，３８ａが挿通され、ガラス枠施錠杆３が上下に所定の範囲内で上下摺動するようにガイドされる。また、ガラス枠施錠杆３の中間部には、上記のように、ガラス枠ロック受け部材８が枢軸８３により揺動可能に軸支されている。
【００４２】
中枠施錠杆２とガラス枠施錠杆３間には、ばね部材（コイルばね）１７が掛けられ、このばね部材１７により中枠施錠杆２は下方（施錠側）に付勢され、ガラス枠施錠杆３は上方（施錠側）に付勢される。このため、解錠時には、カム部材１０の回動により、ばね部材１７によるばね力に抗して中枠施錠杆２が上方に摺動し、同様にガラス枠施錠杆３が下方に摺動する。
【００４３】
このように、基枠体１に枢支された中枠ロック部材５は、中枠施錠杆２に枢支された中枠ロック受け部材６と協働して、中枠施錠杆２を施錠時にロックして針金などの不正器具による不正解錠を防止するようになっている。また、枢軸５３によって揺動可能に枢支される中枠ロック部材５には、その上部に突出部５１が設けられ、中枠が閉じられて施錠状態となったとき、内側に揺動し、中枠ロック部材５の上部に設けた係合凸部５２を中枠ロック受け部材６の係合部６１に係合させ、中枠施錠杆２の摺動をロックするようになっている。そして、そのような施錠状態において、キーによりシリンダ錠９を操作してその錠軸９ａと共にカム部材１０を右に回動したとき、先ずロック解除部材４が上方に摺動し、このとき、中枠ロック受け部材６を僅かに前方に揺動させ、中枠ロック部材５の係合凸部５２と中枠ロック受け部材６の係合部６１の係合を外し、中枠施錠杆２のロックを解除する。そして、これに続くカム部材１０の回動により、中枠施錠杆２が解錠側（上方）に摺動し、解錠動作が行なわれる。
【００４４】
一方、基枠体１に枢支されたガラス枠ロック部材７は、ガラス枠施錠杆３に枢支されたガラス枠ロック受け部材８と協働して、ガラス枠施錠杆３を施錠時にロックして針金などの不正器具による不正解錠を防止するようになっている。枢軸７３によって揺動可能に枢支されるガラス枠ロック部材７には、その上部に突出部７１が設けられ、ガラス枠が閉じられて施錠状態となったとき、内側に揺動し、ガラス枠ロック部材７の上部に設けた係合凸部７２をガラス枠ロック受け部材８の係合部８１に係合させ、ガラス枠施錠杆３の摺動をロックするようになっている。
【００４５】
そのような施錠状態において、キー操作によりシリンダ錠９の錠軸９ａと共にカム部材１０が回動し、先ずロック解除部材４が下方に摺動したとき、ガラス枠ロック受け部材８を僅かに後方に揺動させて、ガラス枠ロック部材７の係合凸部７２とガラス枠ロック受け部材８の係合部８１の係合を外し、ガラス枠施錠杆３のロックを解除する。そして、これに続くカム部材１０の回動により、ガラス枠施錠杆３は解錠側（下方）に摺動し、解錠動作が行なわれるようになっている。
【００４６】
このように構成された施錠装置は、図１２に示すように、基枠体１が、パチンコ機における中枠９１の自由端側の右端に縦に、且つ鉤部２１，２２を本体枠９０側に向けた状態で装着される。一方、本体枠９０の右側壁部の内側における上記鉤部２１，２２に対応した上下位置に、受け部９３が固定され、この受け部９３に鉤部２１，２２が係止される。また、本体枠９０側には、中枠ロック部材５の突出部５１が当接する当接部９４が設けられる。
【００４７】
一方、中枠９１の前面にガラス枠（遊技盤を覆う透明板を装着した前扉）９２が開閉可能に取り付けられる。そのガラス枠９２の右端自由端側の内側に、ガラス枠施錠杆３の鉤部３１、３２、３３が係止される受け部９５，９５，９５が、各々対応した箇所に設けられる。なお、中間位置の受け部９５は、ガラス枠ロック部材７の突出部７１の当接部として兼用される。
【００４８】
上記構成の施錠装置は、上記の如く、パチンコ機の中枠９１の右端自由端側に縦に固定されて使用されるが、施錠機構の主要部となる中枠施錠杆２、ガラス枠施錠杆３は基枠体１の支持板１２の左側面に装着され、中枠９１の自由端側に対して支持板１２が壁となる。また、支持板１２及び背面板１３に設けた開口部１２ａ及びカム室１４は支持板１２の右側面からカバー１８で覆われている。このため、施錠した状態で、本体枠９０と中枠９１の右端自由端側の隙間、或いは中枠９１とガラス枠９２の右端自由端側の隙間などから、不正解錠を狙って針金などの不正器具を差し込まれたとしても、基枠体１の支持板１２、カバー１８などが壁となって、不正器具が中枠施錠杆２、ガラス枠施錠杆３、ロック解除部材４などに到達せず、不正解錠を防止することができる。
【００４９】
パチンコ機の中枠９１が開放された状態において、中枠９１を本体枠９０に対し閉じると、本体枠９０側の受け部９３が鉤部２１，２２に接触し、これにより中枠施錠杆２が上側の荷重を受けて上昇した後、ばね部材１７の付勢力により下降し、鉤部２１，２２が受け部９３に係止され施錠状態となる。
【００５０】
このとき、中枠ロック部材５の突出部５１が本体枠９０側の当接部９４に当接して内側に揺動し、これにより図１５（ｂ）のように、その係合凸部５２が中枠ロック受け部材６の係合部６１に係合した状態となり、中枠施錠杆２は中枠ロック部材５と中枠ロック受け部材６を介して上下動がロックされる。したがって、中枠施錠杆２は、シリンダ錠９による解錠操作を除き、解錠方向に摺動することができず、針金などの不正器具による不正解錠は阻止されることとなる。
【００５１】
一方、パチンコ機のガラス枠９２が開放された状態において、ガラス枠９２を中枠９１に対し閉じると、中枠９１側の受け部９５が鉤部３１，３２，３３に接触し、これによりガラス枠施錠杆３が下側の荷重を受けて下降した後、ばね部材１７の付勢力により上昇し、鉤部３１，３２，３３が受け部９５に係止され施錠状態となる。
【００５２】
このとき、ガラス枠ロック部材７の突出部７１が中枠９１側の受け部９５に当接して内側に揺動し、これにより図１６（ｂ）のように、その係合凸部７２がガラス枠ロック受け部材８の係合部８１に係合した状態となり、ガラス枠施錠杆３はガラス枠ロック部材７とガラス枠ロック受け部材８を介して上下動がロックされる。したがって、ガラス枠施錠杆３は、シリンダ錠９による解錠操作を除き、解錠方向に摺動することができず、針金などの不正器具による不正解錠は阻止されることとなる。
【００５３】
中枠９１を解錠する場合、シリンダ錠９に挿入したキーを右に回す。これにより、カム部材１０が図１５（ａ）の矢印方向（反時計方向）に回動し、カム部材１０の第１係合凸部１０ａが、まずロック解除部材４の第１係合部４１に係合して、図１５（ａ）のように、ロック解除部材４を押し上げる。これにより、図１５（ｂ）に示すように、ロック解除部材４の中枠係合部４３が中枠ロック受け部材６の係合凸部６２に係合して中枠ロック受け部材６を僅かに上方に押し上げるように、図１５（ｂ）の反時計方向に中枠ロック受け部材６を僅かに回動させる。これにより、中枠ロック部材５の係合凸部５２と中枠ロック受け部材６の係合部６１の係合が外れ、ロックが解除され、中枠施錠杆２は上昇可能となる。
【００５４】
この後、カム部材１０の第１係合凸部１０ａが上記と同方向にさらに回動すると、第１係合凸部１０ａが中枠施錠杆２の係合部２３に係合して、中枠施錠杆２が第１係合凸部１０ａにより押し上げられる。このとき、図１３に示すように、中枠施錠杆２はばね部材１７の付勢力に抗して上方に摺動し、その鉤部２１，２２が上昇して、本体枠９０側の受け部９３から離れ、解錠される。
【００５５】
一方、ガラス枠９２を解錠する場合は、キーをシリンダ錠９に差し込み、左に回すと、カム部材１０が図１６（ａ）の矢印方向（時計方向）に回動し、カム部材１０の第２係合凸部１０ｂは、先ず、ロック解除部材４の第２係合部４２に係合して、図１６（ａ）のように、ロック解除部材４を押し下げる。これにより、図１６（ｂ）に示すように、ロック解除部材４のガラス枠係合部４４がガラス枠ロック受け部材８の係合凸部８２に係合してガラス枠ロック受け部材８を僅かに下方に押し下げるように、図１６（ｂ）の反時計方向にガラス枠ロック受け部材８を僅かに回動させる。これにより、ガラス枠ロック部材７の係合凸部７２とガラス枠ロック受け部材８の係合部８１の係合が外れ、ロックが解除され、ガラス枠施錠杆３は下降可能となる。
【００５６】
この後、カム部材１０の第２係合凸部１０ｂが上記と同方向にさらに回動すると、第２係合凸部１０ｂがガラス枠施錠杆３の係合部３５に係合して、ガラス枠施錠杆３が第２係合凸部１０ｂにより押し下げられる。このとき、図１４に示すように、ガラス枠施錠杆３はばね部材１７の付勢力に抗して下方に摺動し、その鉤部３１，３２，３３が下降して、中枠９１側の受け部９５から離れ、解錠される。
【００５７】
このように、ガラス枠９２を中枠９１に対し良好に施錠・解錠を行うことができると共に、中枠９１を本体枠９０に対し良好に施錠・解錠することができ、ガラス枠９２及び中枠９１の施錠状態においては、ガラス枠ロック部材７、ガラスロック受け部材８の作用によって、ガラス枠施錠杆３の解錠側への摺動がロックされ、且つ中枠ロック部材５、中枠ロック受け部材６の作用によって、中枠施錠杆２の解錠側への摺動がロックされるので、針金などの不正器具によりガラス枠施錠杆３または中枠施錠杆２を解錠側へ摺動させて行なわれる不正解錠を防止することができる。
【図面の簡単な説明】
【００５８】
【図１】本発明の一実施形態を示す施錠装置の正面図である。
【図２】その左側面図である。
【図３】その右側面図である。
【図４】その背面図である。
【図５】その平面図である。
【図６】その底面図である。
【図７】その正面斜め右下方から見た斜視図である。
【図８】その背面斜め右下方から見た斜視図である。
【図９】施錠装置の背面側の右側下方から見た分解斜視図である。
【図１０】施錠装置の左側斜め下方から見た分解斜視図である。
【図１１】施錠装置の分解左側面図である。
【図１２】パチンコ機に施錠装置を取り付けた状態の左側面図である。
【図１３】中枠を解錠した状態を示す施錠装置の左側面図である。
【図１４】ガラス枠を解錠した状態の施錠装置の左側面図である。
【図１５】中枠解錠時のカム部材周辺の動きを示す説明図（ａ）、中枠解錠時の中枠ロック部材と中枠ロック受け部材の動きを示す説明図（ｂ）である。
【図１６】ガラス枠解錠時のカム部材周辺の動きを示す説明図（ａ）、ガラス枠解錠時のガラス枠ロック部材とガラス中枠ロック受け部材の動きを示す説明図（ｂ）である。
【符号の説明】
【００５９】
１      基枠体
１ａ    断面コ字状部
１ｂ    断面Ｌ字状部
２      中枠施錠杆
３      ガラス枠施錠杆
４      ロック解除部材
５      中枠ロック部材
６      中枠ロック受け部材
７      ガラス枠ロック部材
８      ガラス枠ロック受け部材
９      シリンダ錠
９ａ    錠軸
９ｂ    フランジ
１０    カム部材
１０ａ  第１係合凸部
１０ｂ  第２係合凸部
１１    取付板
１２    支持板
１３    背面板
１４    カム室
１８    カバー
１９    滑動支持部材
２１    鉤部
２２    鉤部
２３    係合部
３１    鉤部
３２    鉤部
３３    鉤部
３５    係合部
４１    第１係合部
４２    第２係合部
４３    中枠係合部
４４    ガラス枠係合部
５１    突出部
５２    係合凸部
６１    係合部
６２    係合凸部
７１    突出部
７２    係合凸部
８１    係合部
８２    係合凸部
９０    本体枠
９１    中枠
９２    ガラス枠
【図１】
2010131266.tif 000003
【図２】
2010131266.tif 000004
【図３】
2010131266.tif 000005
【図４】
2010131266.tif 000006
【図５】
2010131266.tif 000007
【図６】
2010131266.tif 000008
【図７】
2010131266.tif 000009
【図８】
2010131266.tif 000010
【図９】
2010131266.tif 000011
【図１０】
2010131266.tif 000012
【図１１】
2010131266.tif 000013
【図１２】
2010131266.tif 000014
【図１３】
2010131266.tif 000015
【図１４】
2010131266.tif 000016
【図１５】
2010131266.tif 000017
【図１６】
2010131266.tif 000018